(57)【特許請求の範囲】
【請求項１】
スライドして開閉する二枚一組の窓体の一方の窓体に設けられた錠であって、窓体を施開錠する回転錠爪を他方の窓体に設けられた係合部材と係合させることにより、二枚の窓体が開かないように固定する錠の施錠確認装置において、
外郭をなすケースの内部には、開錠及び施錠を検知するセンサと、検知した情報を検知電波として送信する送信器と、送信器と回転錠爪の回転軸とを電気的に接続する導線と、が収納され、
前記ケースに設けられた開口に回転錠爪の回転軸が絶縁軸支されることで回転錠爪が送信器のアンテナとなり、
前記センサは、
前記ケース内部に設けられたリードスイッチと、
回転錠爪の回転軸とともに回転するマグネットホルダに固定され、リードスイッチと対向する位置に配置されるマグネットと、
を有し、
回転錠爪の回転とともにマグネットが回動することにより、リードスイッチを開閉し、回転錠爪と前記係合部材との係合が解かれたことを検知して送信器から微弱な検知電波を送信させるセンサである、
ことを特徴とする施錠確認装置。
【請求項２】
請求項１に記載される施錠確認装置であって、
送信器の送信回路を構成する回路基板上にリードスイッチが配置された、
ことを特徴とする施錠確認装置。
【請求項３】
請求項１、２に記載される施錠確認装置であって、
前記リードスイッチと送信器の回路基板がポッティングされた、
ことを特徴とする施錠確認装置。
【発明の詳細な説明】
【０００１】
【発明の属する技術分野】
本発明は、建物の窓の錠に設けられた開錠及び施錠を検知する施錠確認装置、特に窓の開錠及び施錠をセンサにより検知し、検知電波を送信する施錠確認装置に関する。
【０００２】
【従来の技術】
ビル、住宅などに設置される防犯装置の一つに、侵入者による窓錠の開錠を検知し、警報を鳴らしたり、警備会社に連絡することで防犯を行っている施錠確認装置がある。図１は、施錠確認装置の構成を示す概略図である。
【０００３】
図１に示される部屋の側面には、スライドさせて開閉する２枚１組の窓１０がある。通常、侵入者の侵入を防止する為に、内側の窓１２の窓枠１６には、回転錠爪３２が固定され、外側の窓１４の窓枠１８には、回転錠爪３２と対向する位置に、係合部材２８が固定されており、回転錠爪３２を係合部材２８に係合することにより、施錠できるようになっている。しかし、窓１０が施錠されていても、侵入者は窓錠の近くの窓１０を割って、錠を開錠し窓を開けてから侵入する場合がある。そのような侵入を未然に防ぐために、図１の部屋には検知電波送信ユニット３０と受信器７０とから成る施錠確認装置が設置されている。検知電波送信ユニット３０は、開錠を検知できるように回転錠爪３２と共に設けられており、センサが錠の開錠を検知すると、検知電波送信ユニット３０が検知電波を部屋の側壁に設置される受信器７０に送信し、受信器７０が検知電波を受信するとスピーカ７６から警報を鳴らし、警備会社に連絡する。
【０００４】
このような施錠確認装置の検知電波送信ユニットとして、特開平８−２７０２７８の図４に示されるように、検知電波送信ユニットのケースにリミットスイッチを設けて開錠を検出するもの、また、特開平６−３０９５７２の図１に示されるように、回転錠爪のレバーに設けられるマグネットと、対向する位置に設けられるリードスイッチにより開錠を検知するものがある。
【０００５】
【発明が解決しようとする課題】
しかしながら、特開平８−２７０２７８に示されるセンサは、回転錠爪が開錠されるときにリミットスイッチを押すことにより開錠を検出する方式であるので、リミットスイッチの劣化が早く寿命が短かった。
【０００６】
また、特開平６−３０９５７２に示されるセンサではマグネットとリードスイッチを用いてセンサを構成しているが、回転錠爪のレバーにマグネットを設けており、センサを小型化できず、ケースに収納できなかった。
【０００７】
この発明では、上記のような課題を解消するためになされたもので、小型化したセンサをケースの中に収納し、寿命が長く、外観形状が通常の回転錠爪とほぼ同じである施錠確認装置を得ることを目的とする。
【０００８】
【課題を解決するための手段】
本発明の請求項１に係る発明は、スライドして開閉する二枚一組の窓体の一方の窓体に設けられた錠であって、窓体を施開錠する回転錠爪を他方の窓体に設けられた係合部材と係合させることにより、二枚の窓体が開かないように固定する錠の施錠確認装置において、外郭をなすケースの内部には、開錠及び施錠を検知するセンサと、検知した情報を検知電波として送信する送信器と、送信器と回転錠爪の回転軸とを電気的に接続する導線と、が収納され、前記ケースに設けられた開口に回転錠爪の回転軸が絶縁軸支されることで回転錠爪が送信器のアンテナとなり、前記センサは、前記ケース内部に設けられたリードスイッチと、回転錠爪の回転軸とともに回転するマグネットホルダに固定され、リードスイッチと対向する位置に配置されるマグネットと、を有し、回転錠爪の回転とともにマグネットが回動することにより、リードスイッチを開閉し、回転錠爪と前記係合部材との係合が解かれたことを検知して送信器から微弱な検知電波を送信させるセンサであることを特徴とする施錠確認装置である。
【０００９】
請求項１の特徴的な構成により、センサの寿命を長く、外観形状が通常の回転錠爪とほぼ同じにすることができる効果がある。
【００１０】
本発明の請求項２に係る発明は、請求項１に記載される施錠確認装置であって、送信器の送信回路を構成する回路基板上にリードスイッチが配置されたことを特徴とする施錠確認装置である。
【００１１】
請求項２の特徴的な構成により、リードスイッチと回路基板を一体化でき、小型化することができる。
【００１２】
本発明の請求項３に係る発明は、請求項１、２に記載される施錠確認装置であって、前記リードスイッチと送信器の回路基板がポッティングされたことを特徴とする施錠確認装置である。
【００１３】
請求項３の特徴的な構成により、送信器及びリードスイッチをチリ、水分等の外部環境に対して強くすることができる。
【００１４】
【発明の実施の形態】
以下、図面に基づき本発明の実施形態について説明する。
【００１５】
図１は、施錠確認装置の構成を示す概略図である。
【００１６】
図１に示される部屋の側面には、スライドさせて開閉する２枚１組の窓１０が設けられている。内側の窓１２の窓枠１６には、図２に示される回転錠爪３２が固定され、また、外側の窓１４の窓枠１８には、図６に示される係合部材２８が固定されており、回転錠爪３２を回転すると回転錠爪３２が係合部材２８と係合し、窓１０の施錠ができる位置関係で回転錠爪３２と係合部材２８は配置されている。侵入者が窓１０を割り、不正に窓１０を開錠し部屋に侵入することを防ぐため、部屋には施錠確認装置が備えられている。施錠確認装置では、検知電波送信ユニット３０が侵入者の不正な開錠を検知し検知電波を送信すると、受信器７０が検知電波を受信し、侵入者を威嚇する警報を鳴らす。
【００１７】
本実施形態における、窓枠１６に設けられる施錠確認装置の検知電波送信ユニット３０について図３、図４を参照して説明する。図３は、本発明の施錠確認装置の検知電波送信ユニット３０を窓枠１６に面している方向から見た内部構造を示す図である。図４は本発明の施錠確認装置の検知電波送信ユニット３０の分解図である。図４は、各部品の配置関係を説明するものであり、見易さを考慮して、ケース３６のみ他の部品に対して縮尺を小さくして描いてある。
【００１８】
本実施形態における検知電波送信ユニット３０においては、窓枠１６にネジ５２で固定されているケース３６が検知電波送信ユニット３０の外郭をなし、回転錠爪３２の回転軸３１がケース３６の正面の開口に、絶縁ワッシャ３４、絶縁ブシュ３８により絶縁されて軸支され、回転軸３１の一部がケース３６内部に入っている。ケース３６内部で、導体であるマグネットホルダ４２が回転軸３１に係合しており、マグネットホルダ４２は一端でマグネット５４を保持しており、また、別の一端で送信器４８から伸びる被覆導線５０と接続している。送信器４８の送信回路を構成する回路基板上には、ガラスで覆われている小型のリードスイッチ５６がマグネット５４と対向する位置に設けられており、リードスイッチ５６とマグネット５４が開錠を検出するセンサを構成している。リードスイッチ５６の接点は周囲を円筒状のガラスで覆われているので、それ自体、チリ、ゴミ、水滴等の環境に強いが、本実施形態では、リードスイッチ５６は回路基板と共にポッティングされ、樹脂で固められており、さらに環境に影響を受けず寿命の長いスイッチとなっている。また、回転軸３１には回転子４０が係合し、ケース３６の下面には絶縁体であるバネ止め部材４６が固定されており、回転子４０に設けられた開口とバネ止め部材４６に設けられた開口には、バネ４４の両端が掛止されている。
【００１９】
上記説明した構成の検知電波送信ユニット３０では、マグネットホルダ４２は回転錠爪３２の回転軸３１の先にネジ６０で固定されているので、開錠時に回転錠爪３２が開錠方向に回転すると、マグネットホルダ４２は回転錠爪３２の回転に合わせて回転する。したがって、マグネット５４も回転軸３１の回転に合わせて回動し、送信器４８上に配置されるリードスイッチ５６の接点がＯＮからＯＦＦになり、開錠が検知される。リードスイッチ５６が開錠を検知すると、リードスイッチ５６から送信器４８に開錠検知信号が送られ、送信器４８が被覆導線５０、マグネットホルダ４２を介して電気的に接続された回転錠爪３２に送信電圧を印加し、回転錠爪３２をアンテナとして検知電波を送信する。このとき、検知電波に微弱電波を用いることで、電池寿命を長く保っている。
【００２０】
回転錠爪３２と係合部材２８が係合していると電気的に導通するので検知電波が送信できなくなってしまうことになる。それに対して、回転錠爪３２が係合部材２８から外れたときにリードスイッチ５６がＯＦＦからＯＮに変化するように、回転錠爪３２に対してマグネットホルダ４２を調節して取り付けることにより、回転錠爪３２とマグネットホルダ４２を絶縁することなく、回転錠爪３２から検知電波を送信可能にしている。そのマグネットホルダ４２の取り付けを図５を用いて説明する。図５には、回転錠爪３２が回転しマグネット５４が回動する様子が示される。見易さを考慮してケースは表示していない。図５（ａ）では、マグネット５４がリードスイッチ５６と対向する位置にあり、リードスイッチ５６は磁化され接点がＯＮとなっている。このとき回転錠爪３２は係合部材２８と係合している。絶縁の必要をなくすためには、図５（ａ）の状態から回転錠爪３２を回転し係合部材２８から回転錠爪３２が離れた後に、リードスイッチ５６の接点をＯＮからＯＦＦにするだけマグネット５４が回動すれば良い。このような回転錠爪３２に対する角度でマグネットホルダ４２を取り付ければ、回転錠爪３２と係合部材２８は離れているので絶縁することなしに、回転錠爪３２から検知電波を送信することが可能になる。リードスイッチ５６はマグネット５４の回動に対して応答性が良く、本実施形態では角度θが１０°位で接点がＯＮからＯＦＦに変化する。
【００２１】
上記説明した本発明の施錠確認装置において特徴的なことは、ケース３６内部にセンサ及び送信器４８を収納し、センサがリードスイッチ５６とマグネット５４を用いて構成されていることである。センサをケース３６内部に収納したことにより、外観形状が通常の回転錠爪３２とほぼ同じにすることができ、また、マグネット５４とリードスイッチ５６で構成されるセンサは非接触式のセンサであり寿命を長くできる。
【００２２】
また、本実施形態の検知電波送信ユニット３０は、回転子４０、バネ４４、バネ止め部材４６を用いて回転錠爪３２の位置を安定させている。その機能について説明する。
【００２３】
バネは回転子４０に設けられた開口とバネ止め部材４６に設けられた開口に掛止されているので、常に回転子４０に力を与えている。回転錠爪３２が回転するとマグネットホルダ４２も回転し、バネ４４の長さが変化するのであるが、このバネ４４の長さは、回転錠爪３２が施錠された位置と開錠された位置で短くなり、中間の位置で長くなる。したがって、バネ４４が回転子４０を介して回転錠爪３２に与える力により、回転錠爪３２の位置が施錠状態か、開錠状態で安定し、回転錠爪３２が中間の位置で止まりづらくなるようにしている。
【００２４】
【発明の効果】
この発明の施錠確認装置の検知電波送信ユニットは、上記説明したようにケース内部に送信器及びセンサを収納し、センサはマグネットとリードスイッチを用いて構成されているので、外観形状を通常の回転錠爪とほぼ同じにすることができ、また、センサの寿命を長くできる効果がある。
【図面の簡単な説明】
【図１】  施錠確認装置の構成を示す概略図である。
【図２】  本実施形態の施錠確認装置の検知電波送信ユニットの外観を示す外観図である。
【図３】  本実施形態の施錠確認装置の検知電波送信ユニットの構成を示す構成図である。
【図４】  本実施形態の施錠確認装置の検知電波送信ユニットの構成を示す分解図である。
【図５】  マグネットホルダの取り付けを説明する説明図である。
【図６】  本実施形態の錠の係合部材の外観を示す外観図である。
【符号の説明】
１０  窓、１２  内側の窓、１４  外側の窓、１６  内側窓枠、１８  外側窓枠、２８  係合部材、３０  検知電波送信ユニット、３１  回転軸、３２  回転錠爪、３３  アンテナ、３４  絶縁ワッシャ、３６  ケース、３８  絶縁ブシュ、４０  回転子、４２  マグネットホルダ、４４  バネ、４６  バネ止め部材、４８  送信器、５０  被覆導線、５２  ネジ、５４  マグネット、５６  リードスイッチ、６０  ネジ、７０  受信器、７２  受信器本体、７４  受信アンテナ、７６  スピーカ。
【図１】
0004690591.tif 000002
【図２】
0004690591.tif 000003
【図３】
0004690591.tif 000004
【図４】
0004690591.tif 000005
【図５】
0004690591.tif 000006
【図６】
0004690591.tif 000007